(57)【要約】【課題】執務（業務）環境を改善し、それによってオフィスワーカーやエンジニア、ワーキングウーマン等の労働者個人の知的活動を活性化させることができ、各労働者の知的生産性を向上させることができる知的生産性向上支援システムを提供する。【解決手段】知的生産性向上支援システムは、所定容積のユニット小部屋と、ユニット小部屋に存在する労働者が周囲で発生する暗騒音を聞き取ることが可能な音圧レベルであって、労働者が無意識のうちにリフレッシュすることが可能かつ知的活動を活性化させることが可能な所定の付加音をユニット小部屋に発音させる付加音発音手段とから形成され、付加音の音圧レベルが暗騒音の音圧レベルに対して−６ｄＢ〜＋８ｄＢの範囲にあり、付加音発音手段によって発音された付加音が暗騒音に加わってユニット小部屋に存在する労働者の気持ちをリラックスさせ又は労働者の知的活動を活性化させる。【選択図】図１
2020181539.tif 000002
【特許請求の範囲】
【請求項１】
所定容積の小空間と、前記小空間に存在する労働者が周囲で発生する暗騒音を聞き取ることが可能な音圧レベルであって、前記労働者が無意識のうちにリフレッシュすることが可能かつ知的活動を活性化させることが可能な所定の付加音を前記小空間に発音させる付加音発音手段とから形成され、前記付加音の音圧レベルが、前記暗騒音の音圧レベルに対して−６ｄＢ〜＋８ｄＢの範囲にあり、前記付加音発音手段によって発音された付加音が、前記暗騒音に加わって前記小空間に存在する労働者の気持ちをリラックスさせ又は労働者の知的活動を活性化させることを特徴とする知的生産性向上支援システム。
【請求項２】
前記付加音が、自然が醸し出す各種複数の自然音の中から選択された１種類の自然音又は各種複数のクラシック音楽の中から選択された１種類のクラシック音楽である請求項１に記載の知的生産性向上支援システム。
【請求項３】
前記小空間が、天井パネルと床パネルと各側壁パネルとから形成され、所定の建造物の内部に組み立てられた少なくとも１つのユニット小部屋であり、前記建造物の内部と前記ユニット小部屋とに連通する開放スペースが、前記天井パネルの近傍に作られ、前記付加音発音手段が、それらパネルのうちの少なくとも１つに設置される請求項１又は請求項２に記載の知的生産性向上支援システム。
【請求項４】
前記知的生産性向上支援システムが、前記ユニット小部屋を組み立てた後に、前記建造物の内部におけるそれらパネルの設置位置を変更し、又は、前記ユニット小部屋に新たなパネルを増設し、或いは、前記ユニット小部屋から既設のそれらパネルを取り外すことで、前記ユニット小部屋のレイアウトを改変するレイアウト改変手段を含む請求項３に記載の知的生産性向上支援システム。
【請求項５】
前記知的生産性向上支援システムが、前記ユニット小部屋を組み立てた後に、前記建造物の内部に新たなユニット小部屋を組み立てることで、前記ユニット小部屋の小部屋数を増加させる小部屋数増加手段と、組み立てた前記ユニット小部屋を解体することで、前記ユニット小部屋の小部屋数を減少させる小部屋数減少手段とを含む請求項３又は請求項４に記載の知的生産性向上支援システム。
【発明の詳細な説明】
【技術分野】
【０００１】
本発明は、労働者の知的活動を活性化させる知的生産性向上支援システムに関する。
【背景技術】
【０００２】
一定期間の教育手法として、組織における次の（１）ミーティングの状態、（２）チームの運営状態、（３）計画の共有化状態、（４）仕事の受け渡し状態、（５）仕事の振り返り（見直し）状態、（６）仕事を通しての自己成長の状態、（７）仕事への対応における上位下位者の合意と納得の状態のうちの少なくとも１つの知的生産性状態のレベルを評価するシステムを導入し、その評価に応じて、所定の自然媒体に担持した教育パイロットシナリオによって組織の知的生産性の向上システムのための教育伝達ツールとするビジネス方法が開示されている（特許文献１参照）。
【０００３】
このビジネス方法は、知的生産性状態のレベルを評価するシステムによって企業の組織の知的生産性レベルを判定可能とし、その判定レベルに応じて所定の自然媒体に担持した教育パイロットシナリオを提供して組織への教育伝達ツールの開発に成功したから、そのシステムによって企業の知的生産性向上教育の大規模展開が達成可能になるという効果を有する。
【先行技術文献】
【特許文献】
【０００４】
【特許文献１】特開２００３−１４１２６９号公報
【発明の概要】
【発明が解決しようとする課題】
【０００５】
前記特許文献１に開示のビジネス方法は、組織の知的生産性レベルを判定しつつ、判定したレベルに応じて自然媒体に担持した教育パイロットシナリオを提供するが、組織を構成するオフィスワーカーやエンジニア、ワーキングウーマン等の労働者個人の生産性向上を目的とするものではない。なお、現在では、企業収益の向上のために各労働者毎の生産性向上が求められている。労働者個人の生産性向上には、各労働者の能力向上、業務の仕組み改善、執務（業務）環境の改善等のソフト面及びハード面での取り組みが必要となる。それらのうちの執務（業務）環境の改善に着目した場合、オフィスの空間を制御対象とした生産性向上を図るためのシステムは開発されていないのが現状である。
【０００６】
本発明の目的は、執務（業務）環境を改善し、それによってオフィスワーカーやエンジニア、ワーキングウーマン等の労働者個人の知的活動を活性化させることができ、各労働者の知的生産性を向上させることができる知的生産性向上支援システムを提供することにある。本発明の他の目的は、オフィスワーカーやエンジニア、ワーキングウーマン等の労働者個人の知的活動を活性化させることが可能なユニット小部屋を建造物の内部に容易に組み立てることができ、そのユニット小部屋を利用して各労働者の知的生産性を向上させることができる知的生産性向上支援システムを提供することにある。
【課題を解決するための手段】
【０００７】
前記課題を解決するための本発明の知的生産性向上支援システムは、所定容積の小空間と、小空間に存在する労働者が周囲で発生する暗騒音を聞き取ることが可能な音圧レベルであって、労働者が無意識のうちにリフレッシュすることが可能かつ知的活動を活性化させることが可能な所定の付加音を小空間に発音させる付加音発音手段とから形成され、付加音の音圧レベルが、暗騒音の音圧レベルに対して−６ｄＢ〜＋８ｄＢの範囲にあり、付加音発音手段によって発音された付加音が、暗騒音に加わって小空間に存在する労働者の気持ちをリラックスさせ又は労働者の知的活動を活性化させることを特徴とする。
【０００８】
本発明の知的生産性向上支援システムの一例としては、付加音が、自然が醸し出す各種複数の自然音の中から選択された１種類の自然音又は各種複数のクラシック音楽の中から選択された１種類のクラシック音楽である。
【０００９】
本発明の知的生産性向上支援システムの他の一例としては、小空間が、天井パネルと床パネルと各側壁パネルとから形成され、所定の建造物の内部に組み立てられた少なくとも１つのユニット小部屋であり、建造物の内部とユニット小部屋とに連通する開放スペースが、天井パネルの近傍に作られ、付加音発音手段が、それらパネルのうちの少なくとも１つに設置される。
【００１０】
本発明の知的生産性向上支援システムの他の一例としては、知的生産性向上支援システムが、ユニット小部屋を組み立てた後に、建造物の内部におけるそれらパネルの設置位置を変更し、又は、ユニット小部屋に新たなパネルを増設し、或いは、ユニット小部屋から既設のそれらパネルを取り外すことで、ユニット小部屋のレイアウトを改変するレイアウト改変手段を含む。
【００１１】
本発明の知的生産性向上支援システムの他の一例としては、知的生産性向上支援システムが、ユニット小部屋を組み立てた後に、建造物の内部に新たなユニット小部屋を組み立てることで、ユニット小部屋の小部屋数を増加させる小部屋数増加手段と、組み立てたユニット小部屋を解体することで、ユニット小部屋の小部屋数を減少させる小部屋数減少手段とを含む。
【発明の効果】
【００１２】
本発明に係る知的生産性向上支援システムによれば、システムが所定容積の小空間とその小空間に所定の付加音を発音させる付加音発音手段とから形成され、付加音発音手段によって発音された付加音が小空間に存在するオフィスワーカーやエンジニア、ワーキングウーマン等の労働者が周囲で発生する暗騒音を聞き取ることが可能な音圧レベルであって、労働者が無意識のうちにリフレッシュすることが可能かつ知的活動を活性化させることが可能な音であり、小空間の癒し効果によって労働者の気持ちが落ち着いて精神が安定し、暗騒音に加わった付加音のリズムやメロディーが労働者の心理に作用してドーパミン（快楽ホルモン）を分泌させるとともに側坐核（やる気中枢）を活性化させ、それによって小空間に存在する労働者個人の気持ちをリラックスさせ又は労働者の知的活動を活性化させるから、執務（業務）環境を労働者に最適な環境に改善することができ、各労働者の知的生産性を向上させることができる。知的生産性向上支援システムは、付加音の音圧レベルを暗騒音の音圧レベルに対して−６ｄＢ〜＋８ｄＢの範囲にすることで、付加音のリフレッシュ効果や集中力向上効果、能力活性化効果を最大限に利用することができ、前記音圧レベルの付加音が暗騒音に加わって小空間に存在する労働者個人の思考を確実にリフレッシュさせることができるとともに、各労働者の知的活動を確実に活性化させることができる。なお、小空間に複数の労働者が集まった場合、知的生産性向上支援システムを利用することでそれら労働者どうしのディスカッションが盛んになり、それら労働者によって新たな知的創造が構築され、各労働者の潜在能力がアップする。
【００１３】
付加音が自然が醸し出す各種複数の自然音の中から選択された１種類の自然音又は各種複数のクラシック音楽の中から選択された１種類のクラシック音楽である知的生産性向上支援システムは、リフレッシュ効果や集中力向上効果、能力活性化効果の高い各種複数の自然音の中から選択された１種類の自然音又はリフレッシュ効果や集中力向上効果、能力活性化効果の高い各種複数のクラシック音楽の中から選択された１種類のクラシック音楽を付加音とし、暗騒音に加わった自然音又はクラシック音楽のリズムやメロディーが労働者の心理に作用してドーパミン（快楽ホルモン）を分泌させるとともに側坐核（やる気中枢）を活性化させ、それによって小空間に存在する労働者個人の気持ちをリラックスさせ又は労働者の知的活動を活性化させるから、執務（業務）環境を労働者に最適な環境に改善することができ、各労働者の知的生産性を向上させることができる。知的生産性向上支援システムは、自然音又はクラシック音楽の音圧レベルを暗騒音の音圧レベルに対して−６ｄＢ〜＋８ｄＢの範囲にすることで、付加音のリフレッシュ効果や集中力向上効果、能力活性化効果を最大限に利用することができ、前記音圧レベルの付加音が暗騒音に加わって小空間に存在する労働者個人の思考を確実にリフレッシュさせることができるとともに、各労働者の知的活動を確実に活性化させることができる。
【００１４】
小空間が天井パネルと床パネルと各側壁パネルとから形成されて所定の建造物の内部に組み立てられた少なくとも１つのユニット小部屋であり、建造物の内部とユニット小部屋とに連通する開放スペースが天井パネルの近傍に作られ、付加音発音手段がそれらパネルのうちの少なくとも１つに設置される知的生産性向上支援システムは、小空間であるユニット小部屋を所定の建造物の内部に組み立てることで、ユニット小部屋の癒し効果を利用することができるとともに、建造物の内部とユニット小部屋とに連通する開放スペースを天井パネルの近傍に作ることで、ユニット小部屋に設置された付加音発音手段から発音された付加音（自然音又はクラシック音楽）が開放スペースを介して建造物の内部で発生した暗騒音に加わってそのユニット小部屋に入った労働者個人の思考を確実にリフレッシュさせることができ、各労働者の知的活動を確実に活性化させることができる。知的生産性向上支援システムは、ユニット小部屋のそれらパネルに設置された付加音発音手段から発音された付加音（自然音又はクラシック音楽）を利用することで、執務（業務）環境を労働者に最適な環境に改善することができ、各労働者の知的生産性を向上させることができる。知的生産性向上支援システムは、ユニット小部屋が天井パネルと床パネルと各側壁パネルとから形成されることで、建造物の内部においてユニット小部屋を容易に組み立てることができ、必要に応じてユニット小部屋を建造物の内部に迅速に作ることができるとともに、不要になったユニット小部屋を建造物の内部から迅速に撤去することができる。なお、ユニット小部屋が所定の建造物の内部に組み立てられるから、建造物の内部で働く労働者が疲労し又は集中力が低下し或いはやる気をなくした場合、ユニット小部屋に入ることで、労働者が速やかにリフレッシュでき、集中力を高めることができるとともに、やる気を取り戻すことができる。
【００１５】
ユニット小部屋を組み立てた後に、建造物の内部におけるそれらパネルの設置位置を変更し、又は、ユニット小部屋に新たなパネルを増設し、或いは、ユニット小部屋から既設のそれらパネルを取り外すことで、ユニット小部屋のレイアウトを改変するレイアウト改変手段を含む知的生産性向上支援システムは、既設のユニット小部屋を使用することでそのユニット小部屋のレイアウトがマンネリ化し、ユニット小部屋の癒し効果が低下し、知的生産性向上支援システムにおけるリフレッシュ効果や集中力向上効果が低下した場合、レイアウト改変手段によってパネルの設置位置を変更し、又は、新たなパネルを増設し、或いは、それらパネルを取り外し、それによってユニット小部屋のレイアウトを改変することで、新たなレイアウトのユニット小部屋の癒し効果を利用することができ、付加音（自然音又はクラシック音楽）と相まって新たなレイアウトのユニット小部屋に入った各労働者の知的活動を確実に活性化させることができるとともに、各労働者の知的生産性を確実に向上させることができる。
【００１６】
ユニット小部屋を組み立てた後に、建造物の内部に新たなユニット小部屋を組み立てることで、ユニット小部屋の小部屋数を増加させる小部屋数増加手段と、組み立てたユニット小部屋を解体することで、ユニット小部屋の小部屋数を減少させる小部屋数減少手段とを含む知的生産性向上支援システムは、必要に応じてユニット小部屋の小部屋数を増加させることで、各ユニット小部屋を使用して複数の労働者の気持ちを同時にリラックスさせることができるとともに、複数の労働者の知的活動を同時に活性化させることができる。知的生産性向上支援システムは、複数のユニット小部屋の小部屋数を減少させることで、それらユニット小部屋のうちの不要なユニット小部屋を迅速に撤去することができ、建造物の有効利用を図ることができる。知的生産性向上支援システムは、建造物の内部に複数のユニット小部屋を組み立てることで、それらユニット小部屋の癒し効果を利用することができ、付加音（自然音又はクラシック音楽）と相まってそれらユニット小部屋に入った各労働者の知的活動を確実に活性化させることができるとともに、各労働者の知的生産性を確実に向上させることができる。
【図面の簡単な説明】
【００１７】
【図１】一例として示す知的生産性向上支援システムの構成図。
【図２】一例として示すユニット小部屋の斜視図。
【図３】引き戸を開けた状態で示すユニット小部屋の斜視図。
【図４】ユニット小部屋の分解斜視図。
【図５】ユニット小部屋の分解正面図。
【図６】他の一例として示すユニット小部屋の斜視図。
【図７】他の一例として示すユニット小部屋の斜視図。
【発明を実施するための形態】
【００１８】
一例として示す知的生産性向上支援システム１０の構成図である図１等の添付の図面を参照し、本発明に係る知的生産性向上支援システムの詳細を説明すると、以下のとおりである。なお、図２は、一例として示すユニット小部屋１１Ａの斜視図であり、図３は、引き戸１６ａを開けた状態で示すユニット小部屋１１Ａの斜視図である。図４は、ユニット小部屋１１Ａの分解斜視図であり、図５は、ユニット小部屋１１Ａの分解正面図である。図１では、ユニット小部屋１１Ａ（ユニット小部屋１１Ｂ及びユニット小部屋１１Ｃ，１１Ｄを含む）の図示を省略している。図２，３では、建造物の図示を省略し、図４では、天井パネルの図示を省略している。図４，５では、引き戸の図示を省略している。図２では、上下方向を矢印Ｘ、横方向を矢印Ｙで示し、前後方向を矢印Ｚで示す。
【００１９】
知的生産性向上支援システム１０は、所定の建造物（図示せず）の内部に組み立てられたユニット小部屋１１Ａ（所定容積の小空間）と、所定の付加音をユニット小部屋１１Ａに発音させる付加音発音手段とから形成されている。知的生産性向上支援システム１０では、ユニット小部屋１１Ａ（小空間）（ユニット小部屋１１Ｂ及びユニット小部屋１１Ｃ，１１Ｄを含む）に付加音を流し、その付加音が建造物の内部において発生した暗騒音に加わってユニット小部屋１１Ａに存在する（入った）オフィスワーカーやエンジニア、ワーキングウーマン等の労働者の知的活動を活性化させる。
【００２０】
ユニット小部屋１１Ａ（ユニット小部屋１１Ｂ及びユニット小部屋１１Ｃ，１１Ｄを含む）は、オフィスビルの室内や学校の内部、図書館の内部、ショッピングモールの内部、医療施設の内部等の建造物の内部に施設されるが、ユニット小部屋１１Ａ（ユニット小部屋１１Ｂ及びユニット小部屋１１Ｃ，１１Ｄを含む）を施設する建造物に特に制限はなく、あらゆる建造物にユニット小部屋１１Ａ（ユニット小部屋１１Ｂ及びユニット小部屋１１Ｃ，１１Ｄを含む）を施設することができる。
【００２１】
ユニット小部屋１１Ａの間取りは、２７３０ｍｍ×２７３０ｍｍの四畳半であるが、ユニット小部屋１１Ａの間取りはそれらに限定されず、ユニット小部屋を設置する室内の大きさやユニット小部屋に収容する収容人数等によってその間取り（６畳間や８畳間、１２畳間等）を自由に決定することができる。ユニット小部屋１１Ａは、複数枚の天井パネル１２ａ〜１２ｃと複数枚の床パネル１３ａ〜１３ｃと複数枚の背面壁パネル１４ａ〜１４ｃ（各側壁パネル）と複数枚の両側面壁パネル１５ａ〜１５ｆ（各側壁パネル）と一対の引き戸１６ａ，１６ｂ（障子）とから形成されている。
【００２２】
天井パネル１２ａ〜１２ｃには、和風の模様（図示せず）又は洋風の模様（図示せず）が画かれた横方向へ長い化粧パネル（プラスチック製又は金属製或いは木製）が使用されている。天井パネル１２ａ〜１２ｃは、平面形状が四角形に成形され、３枚のそれが前後方向へ並んだ状態でユニット小部屋１１Ａの天井１７を形成している。天井パネル１２ａ〜１２ｃは、建造物の天井近傍であって建造物の天井の下方に位置する。
【００２３】
前後方向へ並ぶそれら天井パネル１２ａ，１２ｃの前後端部１８，１９には、横方向へ延びる一対の横架材２０，２１が配置され、それら横架材２０，２１が所定の取付手段によってそれら天井パネル１２ａ，１２ｃの前後端部１８，１９に連結固定されている。それら天井パネル１２ａ〜１２ｃの両側部２２，２３には、前後方向へ延びる一対の横架材２４，２５が配置され、それら横架材２４，２５が所定の取付手段によってそれら天井パネル１２ａ〜１２ｃの両側部２２，２３に連結固定されている。
【００２４】
床パネル１３ａ〜１３ｃには、横方向へ長いパネル（プラスチック製又は金属製或いは木製）が使用されている。床パネル１３ａ〜１３ｃは、平面形状が四角形に成形され、３枚のそれが横方向へ並んだ状態でユニット小部屋１１Ａの床２６を形成している。床パネル１３ａ〜１３ｃは、建造物の床に載置される。横方向へ並ぶそれら床パネル１３ａ〜１３ｃの前後端部２７，２８には、横方向へ延びる一対の横架材２９，３０が配置され、それら横架材２９，３０が所定の取付手段によってそれら床パネル１３ａ〜１３ｃの前後端部２７，２８に連結固定されている。それら床パネル１３ａ，１３ｃの両側部３１，３２には、前後方向へ延びる一対の横架材３３，３４が配置され、それら横架材３３，３４が所定の取付手段によってそれら床パネル１３ａ，１３ｃの両側部３１，３２に連結固定されている。床パネル１３ａ〜１３ｃの上には、３つの畳３５（畳床及び畳表）が設置されている。
【００２５】
背面壁パネル１４ａ〜１４ｃ（各側壁パネル）には、和風の模様（図示せず）又は洋風の模様（図示せず）が画かれた上下方向へ長い化粧パネル（プラスチック製又は金属製或いは木製）が使用されている。背面壁パネル１４ａ〜１４ｃは、平面形状が四角形に成形され、３枚のそれが横方向へ並んだ状態でユニット小部屋１１Ａの背面壁３６（側壁）を形成している。
【００２６】
横方向へ並ぶそれら背面壁パネル１４ａ〜１４ｃの上下端部３７，３８には、横方向へ延びる一対の横架材２１，３０が配置され、それら横架材２１，３０が所定の取付手段によってそれら背面壁パネル１４ａ〜１４ｃの上下端部３７，３８に連結固定されている。それら背面壁パネル１４ａ，１４ｃの両側部３９，４０には、上下方向へ延びる一対の縦架材４１，４２が配置され、それら縦架材４１，４２が所定の取付手段によってそれら背面壁パネル１４ａ，１４ｃの両側部３９，４０に連結固定されている。
【００２７】
両側面壁パネル１５ａ〜１５ｆ（各側壁パネル）には、和風の模様（図示せず）又は洋風の模様（図示せず）が画かれた上下方向へ長い化粧パネル（プラスチック製又は金属製或いは木製）が使用されている。一方の側面壁パネル１５ａ〜１５ｃは、平面形状が四角形に成形され、３枚のそれが前後方向へ並んだ状態でユニット小部屋１１Ａの一方の側壁４３を形成している。他方の側面壁パネル１５ｄ〜１５ｆは、平面形状が四角形に成形され、３枚のそれが前後方向へ並んだ状態でユニット小部屋１１Ａの他方の側壁４４を形成している。
【００２８】
横方向へ並ぶそれら側面壁パネル１５ａ〜１５ｃの上下端部４５，４６には、前後方向へ延びる一対の横架材２３，３４が配置され、それら横架材２３，３４が所定の取付手段によってそれら側面壁パネル１５ａ〜１５ｃの上下端部４５，４６に連結固定されている。それら背側壁パネル１５ａ，１５ｃの両側部４７，４８には、上下方向へ延びる一対の縦架材４２，４９が配置され、それら縦架材４２，４９が所定の取付手段によってそれら側面壁パネル１５ａ，１５ｃの両側部４７，４８に連結固定されている。
【００２９】
横方向へ並ぶそれら側面壁パネル１５ｄ〜１５ｆの上下端部５０，５１には、前後方向へ延びる一対の横架材２４，３３が配置され、それら横架材２４，３３が所定の取付手段によってそれら側面壁パネル１５ｄ〜１５ｆの上下端部５０，５１に連結固定されている。それら背側壁パネル１５ｄ，１５ｆの両側部５２，５３には、上下方向へ延びる一対の縦架材４１，５４が配置され、それら縦架材４１，５４が所定の取付手段によってそれら側面壁パネル１５ｄ，１５ｆの両側部５２，５３に連結固定されている。
【００３０】
一対の引き戸１６ａ，１６ｂは、天井パネル１２ａと床パネル１３ａ〜１３ｃと両側面壁パネル１５ａ，１５ｄとに囲繞された前面開口５３に取り付けられている。引き戸１６ａ，１６ｂには、障子が使用されているが、フスマであってもよい。また、引き戸１６ａ，１６ｂの他に、ドアを利用することもできる。それら引き戸１６ａ，１６ｂの上端部５６は、横方向へ延びる横架材５７（レール）にスライド可能に支持されている。横架材５７は、その両端部が所定の取付手段によって縦架材４９，５４に連結固定されている。それら引き戸１６ａ，１６ｂの下端部５８は、横方向へ延びる横架材２９（レール）にスライド可能に支持されている。
【００３１】
それら引き戸１６ａ，１６ｂ（障子）のうちのいずれか一方を横方向へスライドさせることで、ユニット小部屋１１Ａの前面開口５５を開けることができ、ユニット小部屋１１Ａの前面開口５５を開けた状態から引き戸１６ａ，１６ｂを横方向へスライドさせることで、ユニット小部屋１１Ａの前面開口５５を閉めることができる。天井パネル１２ａとそれら引き戸１６ａ，１６ｂの上端部５６との間には、建造物の内部とユニット小部屋１１Ａの内部とに連通する横方向へ長い開放スペース５９が形成されている。
【００３２】
付加音発音手段は、ユニット小部屋１１Ａの内部に設置されている。付加音発音手段は、付加音を出力する少なくとも１つのスピーカー６０と、建造物の内部の暗騒音を集音するマイクロフォン６１（集音センサ）と、付加音を電気信号としてスピーカー６０に出力する制御装置６２とから形成されている。スピーカー６０は、側面壁パネル１５ａ〜１５ｆの少なくとも１つに設置（内蔵又は露出）されている。スピーカー６０は、インターフェースを介して制御装置６２に接続されている。
【００３３】
なお、スピーカー６０は、天井パネル１２ａ〜１２ｃ、床パネル１３ａ〜１３ｃ、背面壁パネル１４ａ〜１４ｃ、両側面壁パネル１５ａ〜１５ｆのうちの少なくとも１つに設置（内蔵又は露出）されていればよい。また、スピーカー６０を内蔵した筐体がユニット小部屋１１Ａの内部に配置されていてもよい。マイクロフォン６１（集音センサ）は、両側面壁パネル１５ａ〜１５ｆのうちのいずれかに設置されている。マイクロフォン６１は、インターフェースを介して制御装置６２に接続されている。マイクロフォン６１は、集音した建造物の内部の暗騒音を電気信号として制御装置６２に出力する。
【００３４】
制御装置６２は、ユニット小部屋１１Ａ（ユニット小部屋１１Ｂ及びユニット小部屋１１Ｃ，１１Ｄを含む）の内部に設置されている。制御装置６２は、中央処理部（ＣＰＵまたはＭＰＵ）とメモリ（メインメモリおよびキャッシュメモリ）とを有して独立したオペレーティングシステム（ＯＳ）によって動作するコンピュータであり、大容量記憶領域を実装している。制御装置６２には、タッチパネル６３（入出力装置）がインターフェースを介して接続されている。タッチパネル６３は、側面壁パネル１５ａ〜１５ｆのうちのいずれかに設置されている。大容量記憶領域には、各種複数の付加音が記憶（格納）されている。大容量記憶領域には、ＳＳＤやＵＳＢフラッシュメモリ、ＳＤメモリーカード等のフラッシュメモリ、内蔵ＨＤや外付けＨＤ等のハードディスク、ＣＤやＤＶＤ、ブルーレイディスク等の光ディスクが使用されている。
【００３５】
付加音は、ユニット小部屋１１Ａ（小空間）に存在する労働者が周囲で発生する暗騒音を聞き取ることが可能な音圧レベルであって、労働者が無意識のうちにリフレッシュすることが可能かつ知的活動を活性化させることが可能な音であり、その音圧レベルが暗騒音の音圧レベルに対して−６ｄＢ〜＋８ｄＢ（好ましくは、−３ｄＢ〜＋６ｄＢ）の範囲にある。暗騒音は、ユニット小部屋１１Ａ（ユニット小部屋１１Ｂ及びユニット小部屋１１Ｃ，１１Ｄを含む）を組み立てた建造物の内部（ユニット小部屋１１Ａ（ユニット小部屋１１Ｂ及びユニット小部屋１１Ｃ，１１Ｄを含む）の周辺）で発生した音である。
【００３６】
制御装置６２は、マイクロフォン６１から出力された建造物の内部の暗騒音（電気信号）から暗騒音の音圧レベルを計測し、暗騒音の音圧レベルに−６ｄＢ〜＋８ｄＢ（好ましくは、−３ｄＢ〜＋６ｄＢ）をプラスして付加音の音圧レベルを決定する。例えば、暗騒音の音圧レベルが４０ｄＢであった場合、付加音の音圧レベを３４ｄＢ〜４８ｄＢ（好ましくは、３７ｄＢ〜４６ｄＢ）の範囲に決定し、暗騒音の音圧レベルが４２ｄＢであった場合、付加音の音圧レベルを３６ｄＢ〜５０ｄＢ（好ましくは、３９ｄＢ〜４８ｄＢ）の範囲に決定する。
付加音には、自然が醸し出すリフレッシュ効果や集中力向上効果、能力活性化効果の高い各種複数の自然音の中から選択された１種類の自然音又はリフレッシュ効果や集中力向上効果、能力活性化効果の高い各種複数のクラシック音楽の中から選択された１種類のクラシック音楽が使用される。自然音には、せせらぎの音や雨音、清流音、小鳥のさえずり、焚き火の音、虫の鳴き声等の癒し系の音が使用される。クラシック音楽には、ピアノやダルシマー等の打弦楽器やバイオリンや胡弓等の擦弦楽器、ギターやハープ等の撥弦楽器によって演奏されるクラシック音楽が使用される。
【００３７】
付加音の種類は、側面壁パネル１５ａ〜１５ｆのうちのいずれかに設置されたタッチパネル６３（入出力装置）から選択することができる他、労働者が所持するスマートフォンから選択することもできる。付加音の種類は、タッチパネル６３やスマートフォンによって随時変更することができる。付加音の音圧レベルは、タッチパネル６３（入出力装置）において設定することができる他、スマートフォンにおいて設定することができる。音圧レベルは、タッチパネル６３やスマートフォンにより、暗騒音の音圧レベルに対して−６ｄＢ〜＋８ｄＢ（好ましくは、−３ｄＢ〜＋６ｄＢ）の範囲で随時調節することができる。
【００３８】
知的生産性向上支援システム１０を利用する手順の一例は、以下のとおりである。労働者（利用者）は、いずれかの引き戸１６ａ，１６ｂ（障子）を横方向へスライドさせてユニット小部屋１１Ａ（ユニット小部屋１１Ｂ及びユニット小部屋１１Ｃ，１１Ｄを含む）の前面開口５５を開け、ユニット小部屋１１Ａの内部に入り、引き戸１６ａ，１６ｂを横方向へスライドさせて前面開口５５を閉じる。
【００３９】
次に、面壁パネル１５ａ〜１５ｆのいずれかに設置されたタッチパネル６３（入出力装置）に表示されたスイッチ（図示せず）をＯＮにして知的生産性向上支援システム１０を起動させる。なお、スマートフォンから知的生産性向上支援システム１０を起動させることもできる。以下の説明では、タッチパネル６３（入出力装置）の操作による知的生産性向上支援システム１０の利用手順を詳述する。
【００４０】
知的生産性向上支援システム１０を起動させると、タッチパネル６３には、メニュー画面（初期画面）（図示せず）が表示される。メニュー画面には、選択された付加音を表示する付加音表示エリア、付加音の設定された音圧レベルを表示した音圧レベル表示エリア、ユニット小部屋１１Ａ（ユニット小部屋１１Ｂ及びユニット小部屋１１Ｃ，１１Ｄを含む）の利用時間を表示した利用時間表示エリア、付加音選択ボタン、音圧レベル設定ボタン、利用時間設定ボタン、ＯＦＦボタンが表示される。ＯＦＦボタンをタップ（クリック）すると、知的生産性向上支援システム１０が停止する（以下のＯＦＦボタンも同様）。
【００４１】
既に所定の付加音が選択されている場合は、その付加音が付加音表示エリアに表示され、既に付加音の音圧レベルが設定されている場合は、その音圧レベルが音圧レベル表示エリアに表示される。既にユニット小部屋１１Ａの利用時間が入力されている場合は、その利用時間が利用時間表示エリアに表示される。付加音が未選択の場合や音圧レベルが未設定の場合、利用時間が未入力の場合、付加音表示エリアや音圧レベル表示エリア、利用時間表示エリアはブランクになる。
【００４２】
労働者（利用者）が新規に付加音を選択する場合又は選択された付加音を他の付加音に変更する場合、付加音選択ボタンをタップする。付加音選択ボタンをタップすると、タッチパネル６３には、付加音選択画面（図示せず）が表示される。付加音選択画面には、制御装置の大容量記憶領域に記憶された付加音の一覧を表示した付加音一覧表示エリア、付加音決定ボタン、クリアボタン、キャンセルボタン、ＯＦＦボタンが表示される。クリアボタンをタップすると、選択した付加音がクリアされ、付加音の選択をやり直す。キャンセルボタンをタップすると、メニュー画面に戻る（以下のキャンセルボタンも同様）。
【００４３】
労働者（利用者）は、付加音表示エリアから所望の付加音を選択した後（所望の付加音を反転させた後）（複数選択可）、付加音決定ボタンをタップする。なお、複数の付加音を選択した場合、選択した順に付加音に番号が設定される。付加音決定ボタンをタップすると、タッチパネル６３には、付加音確認画面（図示せず）が表示される。付加音確認画面には、付加音選択画面において選択した付加音を表示した付加音表示エリア、付加音確認ボタン、戻るボタン、キャンセルボタン、ＯＦＦボタンが表示される。戻るボタンをタップすると、付加音選択画面に戻り、付加音の選択をやり直す。
【００４４】
労働者（利用者）は、付加音表示エリアに表示された付加音を確認し、付加音に変更がなければ、付加音確認ボタンをタップする。付加音確認ボタンをタップすると、選択された付加音が制御装置のキャッシュメモリに一時的に記憶され、メニュー画面がタッチパネル６３に表示される。メニュー画面の付加音表示エリアには、選択された付加音が表示される。なお、複数の付加音を選択した場合、選択されたそれら付加音が付加音表示エリアに表示される。複数の付加音は、番号の順にスピーカー６０から出力される。
【００４５】
次に、労働者（利用者）は、音圧レベル設定ボタンをタップし、選択した付加音の音圧レベルを設定する。音圧レベル設定ボタンをタップすると、タッチパネル６３には、音圧レベル設定画面（図示せず）が表示される。音圧レベル設定画面には、選択した付加音を表示した付加音表示エリア、音圧レベル入力エリア、音圧レベル決定ボタン、クリアボタン、キャンセルボタン、ＯＦＦボタンが表示される。クリアボタンをタップすると、設定した音圧レベルがクリアされ、音圧レベルの設定をやり直す。
【００４６】
労働者（利用者）は、音圧レベル入力エリアに付加音の音圧レベル（ｄＢ）（暗騒音にプラスされる音圧レベル（ｄＢ））を入力し、又は、音圧レベル入力エリアに表示された音圧摘みを左右に移動させて音圧レベル（ｄＢ）（暗騒音にプラスされる音圧レベル（ｄＢ））を設定する。音圧レベルは、−６ｄＢ〜＋８ｄＢ（好ましくは、−３ｄＢ〜＋６ｄＢ）の範囲で設定可能である。なお、複数の付加音を設定した場合、音圧レベル設定画面の付加音表示エリアに選択したそれら複数の付加音が表示され、付加音表示エリアにおいてそれら付加音を個別に選択し、選択した各付加音毎に音圧レベルを設定することもできる。また、それら付加音の音圧レベルを一括して設定することもできる。
【００４７】
音圧レベルを入力又は設定した後、音圧レベル決定ボタンをタップする。音圧レベル決定ボタンをタップすると、タッチパネル６３には、音圧レベル確認画面（図示せず）が表示される。音圧レベル確認画面には、付加音選択画面において選択した付加音を表示した付加音表示エリア、音圧レベル設定画面において入力又は設定した音圧レベルを表示した音圧レベル表示エリア、音圧レベル確認ボタン、戻るボタン、キャンセルボタン、ＯＦＦボタンが表示される。戻るボタンをタップすると、音圧レベル設定画面に戻り、音圧レベルの入力又は設定をやり直す。
【００４８】
労働者（利用者）は、音圧レベル確認エリアに表示された音圧レベルを確認し、音圧レベルに変更がなければ、音圧レベル確認ボタンをタップする。音圧レベル確認ボタンをタップすると、入力又は設定された音圧レベルが制御装置のキャッシュメモリに一時的に記憶され、メニュー画面がタッチパネル６３に表示される。メニュー画面の付加音表示エリアには、選択された付加音が表示され、音圧レベル表示エリアには、入力又は設定された音圧レベルが表示される。
【００４９】
次に、労働者（利用者）は、利用時間設定ボタンをタップし、ユニット小部屋１１Ａ（ユニット小部屋１１Ｂ及びユニット小部屋１１Ｃ，１１Ｄを含む）の利用時間を設定する。利用時間設定ボタンをタップすると、タッチパネル６３には、利用時間設定画面（図示せず）が表示される。利用時間設定画面には、選択した付加音を表示した付加音表示エリア、入力又は設定した音圧レベルを表示した音圧レベル表示エリア、利用時間入力エリア、利用時間決定ボタン、クリアボタン、キャンセルボタン、ＯＦＦボタンが表示される。クリアボタンをタップすると、設定した利用時間がクリアされ、利用時間の設定をやり直す。
【００５０】
労働者（利用者）は、利用時間入力エリアに利用時間を入力し、又は、利用時間入力エリアに表示された複数の利用時間から所定の利用時間を選択する（無制限も可）。利用時間を入力又は選択した後、利用時間決定ボタンをタップする。利用時間決定ボタンをタップすると、タッチパネル６３には、利用時間確認画面（図示せず）が表示される。利用時間確認画面には、付加音選択画面において選択した付加音を表示した付加音表示エリア、音圧レベル設定画面において入力又は設定した音圧レベルを表示した音圧レベル表示エリア、利用時間確認ボタン、戻るボタン、キャンセルボタン、ＯＦＦボタンが表示される。戻るボタンをタップすると、利用時間設定画面に戻り、利用時間の入力又は選択をやり直す。
【００５１】
労働者（利用者）は、利用時間確認エリアに表示された利用時間を確認し、利用時間に変更がなければ、利用時間確認ボタンをタップする。利用時間確認ボタンをタップすると、入力又は選択された利用時間が制御装置のキャッシュメモリに一時的に記憶され、メニュー画面がタッチパネルに表示される。メニュー画面の付加音表示エリアには、選択された付加音が表示され、音圧レベル表示エリアには、入力又は設定された音圧レベルが表示される。利用時間表示エリアには、入力又は選択された利用時間が表示される。
【００５２】
制御装置６２は、付加音が選択され、音圧レベルが設定されるとともに、利用時間が入力された場合、メニュー画面に利用開始ボタンを表示する。労働者（利用者）は、メニュー画面の利用開始ボタンをタップする。利用開始ボタンをタップすると制御装置６２は、決定した音圧レベルの選択された付加音をスピーカー６０から出力する。ユニット小部屋１１Ａ（ユニット小部屋１１Ｂ及びユニット小部屋１１Ｃ，１１Ｄを含む）の内部には、決定した音圧レベルの選択された付加音が流される。
【００５３】
なお、システム１０では、マイクロフォン６１を省くこともできる。この場合、音圧レベル設定画面において、付加音の音圧レベルを直接設定する。例えば、付加音の音圧レベルを３７ｄＢ〜４６ｄＢの範囲で設定する。付加音の音圧レベルが３７ｄＢに設定された場合、制御装置６２は、３７ｄＢの音圧レベルの付加音をスピーカー６０から出力し、付加音の音圧レベルが４３ｄＢに設定された場合、４３ｄＢの音圧レベルの付加音をスピーカー６０から出力する。
【００５４】
ユニット小部屋１１Ａ（ユニット小部屋１１Ｂ及びユニット小部屋１１Ｃ，１１Ｄを含む）の内部では、付加音発音手段によって発音された（スピーカー６０から出力された）付加音（リフレッシュ効果や集中力向上効果、能力活性化効果の高い各種複数の自然音の中から選択された１種類の自然音又はリフレッシュ効果や集中力向上効果、能力活性化効果の高い各種複数のクラシック音楽の中から選択された１種類のクラシック音楽）が建造物の内部で発生した暗騒音に加わり、暗騒音に加わった付加音がユニット小部屋１１Ａ（ユニット小部屋１１Ｂ及びユニット小部屋１１Ｃ，１１Ｄを含む）に存在する労働者に聴取される。
【００５５】
ユニット小部屋１１Ａ（ユニット小部屋１１Ｂ及びユニット小部屋１１Ｃ，１１Ｄを含む）の内部では、ユニット小部屋１１Ａ（小空間）の癒し効果によって労働者の気持ちが落ち着いて精神が安定し、暗騒音に加わった付加音のリズムやメロディーが労働者の心理に作用してドーパミン（快楽ホルモン）を分泌させるとともに側坐核（やる気中枢）を活性化させ、それによってユニット小部屋（小空間）に存在する労働者個人の気持ちをリラックスさせ又は労働者の知的活動を活性化させる。利用時間が経過すると制御装置６２は、スピーカー６０からの付加音の出力を停止させる。労働者（利用者）は、引き戸１６ａ，１６ｂ（障子）を横方向へスライドさせてユニット小部屋１１Ａ（小空間）の前面開口５５を開け、ユニット小部屋１１Ａから退室する。
【００５６】
知的生産性向上支援システム１０は、リフレッシュ効果や集中力向上効果、能力活性化効果の高い各種複数の自然音の中から選択された１種類の自然音又はリフレッシュ効果や集中力向上効果、能力活性化効果の高い各種複数のクラシック音楽の中から選択された１種類のクラシック音楽を付加音としてスピーカー６０からユニット小部屋１１Ａ（ユニット小部屋１１Ｂ及びユニット小部屋１１Ｃ，１１Ｄを含む）に発音することで、ユニット小部屋１１Ａ（小空間）の癒し効果によって労働者の気持ちが落ち着いて精神が安定し、開放スペース５９を介して建造物の内部で発生した暗騒音に加わった自然音（付加音）又はクラシック音楽（付加音）のリズムやメロディーが労働者の心理に作用してドーパミン（快楽ホルモン）を分泌させるとともに側坐核（やる気中枢）を活性化させ、それによってユニット小部屋１１Ａ（小空間）に存在する労働者個人の気持ちをリラックスさせ又は労働者の知的活動を活性化させるから、執務（業務）環境を労働者に最適な環境に改善することができ、各労働者の知的生産性を向上させることができる。
【００５７】
知的生産性向上支援システム１０は、自然音（付加音）又はクラシック音楽（付加音）の音圧レベルを暗騒音の音圧レベルに対して−６ｄＢ〜＋８ｄＢ（好ましくは、−３ｄＢ〜＋６ｄＢ）の範囲にすることで、自然音又はクラシック音楽のリフレッシュ効果や集中力向上効果、能力活性化効果を最大限に利用することができ、前記音圧レベルの自然音又はクラシック音楽が暗騒音に加わってユニット小部屋１１Ａ（小空間）に存在する労働者個人の思考を確実にリフレッシュさせることができるとともに、各労働者の知的活動を確実に活性化させることができる。
【００５８】
なお、ユニット小部屋１１Ａ（ユニット小部屋１１Ｂ及びユニット小部屋１１Ｃ，１１Ｄを含む）に複数の労働者が集まった場合、知的生産性向上支援システム１０を利用することでそれら労働者どうしのディスカッションが盛んになり、それら労働者によって新たな知的創造が構築され、各労働者の潜在能力がアップする。
【００５９】
知的生産性向上支援システム１０は、ユニット小部屋１１Ａ（ユニット小部屋１１Ｂ及びユニット小部屋１１Ｃ，１１Ｄを含む）が複数枚の天井パネル１２ａ〜１２ｃと複数枚の床パネル１３ａ〜１３ｃと複数枚の背面壁パネル１４ａ〜１４ｃ（各側壁パネル）と複数枚の両側面壁パネル１５ａ〜１５ｆ（各側壁パネル）と一対の引き戸１６ａ，１６ｂ（障子）とから形成されることで、建造物の内部においてユニット小部屋１１Ａ（ユニット小部屋１１Ｂ及びユニット小部屋１１Ｃ，１１Ｄを含む）を容易に組み立てることができ、必要に応じてユニット小部屋１１Ａ（ユニット小部屋１１Ｂ及びユニット小部屋１１Ｃ，１１Ｄを含む）を建造物の内部に迅速に作ることができるとともに、不要になったユニット小部屋１１Ａ（ユニット小部屋１１Ｂ及びユニット小部屋１１Ｃ，１１Ｄを含む）を建造物の内部から迅速に撤去することができる。
【００６０】
なお、ユニット小部屋１１Ａ（ユニット小部屋１１Ｂ及びユニット小部屋１１Ｃ，１１Ｄを含む）が所定の建造物の内部に組み立てられるから、建造物の内部で働く労働者が疲労し又は集中力が低下し或いはやる気をなくした場合、ユニット小部屋１１Ａ（ユニット小部屋１１Ｂ及びユニット小部屋１１Ｃ，１１Ｄを含む）に入ることで、労働者が速やかにリフレッシュでき、集中力を高めることができるとともに、やる気を取り戻すことができる。
【００６１】
図６は、他の一例として示すユニット小部屋１０Ｂの斜視図である。図６では、建造物の図示を省略している。このユニット小部屋１０Ｂが図１のそれと異なるところは、ユニット小部屋１０Ｂの間取りが３４６０ｍｍ×２５５０ｍｍの６畳間である点にあり、その他の構成は図１のユニット小部屋１０Ａのそれらと同一であるから、図１と同一の符号を付すとともに、図１の説明を援用することで、このユニット小部屋１０Ｂの詳細な説明は省略する。
【００６２】
知的生産性向上支援システム１０は、所定の建造物の内部に組み立てられたユニット小部屋１０Ｂ（所定容積の小空間）と、所定の付加音をユニット小部屋１０Ｂに発音させる付加音発音手段とから形成されている。ユニット小部屋１０Ｂは、図１の２７３０ｍｍ×２７３０ｍｍの四畳半のユニット小部屋１０Ａに新たな天井パネルや床パネル、側面壁パネルを増設し、ユニット小部屋１０Ａのレイアウトを改変するレイアウト改変手段によって組み立てられている。
【００６３】
ユニット小部屋１０Ａの天井パネルに１枚の天井パネル１２ｄが増設され、前後方向へ並ぶ４枚の天井パネル１２ａ〜１２ｄによって天井１７が形成され、ユニット小部屋１０Ａの床パネルに１枚の床パネル１３ｄが増設され、前後方向へ並ぶ４枚の床パネル１３ａ〜１３ｄによって床２６が形成されている。床パネル１３ａ〜１３ｄの上には、畳３５が設置されている。ユニット小部屋１０Ａの一方の側面壁パネルに１枚の側面壁パネル１５ｄが増設され、前後方向へ並ぶ４枚の側面壁パネル１５ａ〜１５ｄによって一方の側壁４３が形成され、ユニット小部屋１０Ａの他方の側面壁パネルに１枚の側面壁パネル１５ｈが増設され、前後方向へ並ぶ４枚の側面壁パネル１５ｅ〜１５ｈによって他方の側壁４４が形成されている。
【００６４】
ユニット小部屋１０Ｂは、天井パネルや床パネル、両側面壁パネルが増設されることで、２７３０ｍｍ×２７３０ｍｍの四畳半のユニット小部屋１０Ａから３４６０ｍｍ×２５５０ｍｍの６畳間のユニット小部屋１０Ｂに増築されている。知的生産性向上支援システム１０では、ユニット小部屋１０Ａと同様に、設定された音圧レベルの選択された付加音がユニット小部屋１０Ｂの内部に流される。ユニット小部屋１０Ｂにおける知的生産性向上支援システム１０の利用手順は、ユニット小部屋１０Ａにおける知的生産性向上支援システム１０のそれと同一である。
【００６５】
なお、知的生産性向上支援システム１０では、ユニット小部屋１０Ｂから天井パネルや床パネル、両側面壁パネルの１枚を取り外し、３４６０ｍｍ×２５５０ｍｍの６畳間のユニット小部屋１０Ｂから２７３０ｍｍ×２７３０ｍｍの四畳半のユニット小部屋１０Ａに改築することができ（レイアウト改変手段）、ユニット小部屋を組み立てた後に、それらパネルを取り外し、例えば、１２畳間のユニット小部屋から６畳間のユニット小部屋に改築し、８畳間のユニット小部屋から四畳半のユニット小部屋に改築することができる（レイアウト改変手段）。また、建造物の内部における天井パネルや床パネル、背面パネル、両側面壁パネル、障子の設置位置を変更することで、自由な間取りのユニット小部屋にレイアウトを随時改変することができる（レイアウト改変手段）。
【００６６】
知的生産性向上支援システム１０は、既設のユニット小部屋を使用することでそのユニット小部屋のレイアウトがマンネリ化し、ユニット小部屋の癒し効果が低下し、知的生産性向上支援システム１０におけるリフレッシュ効果や集中力向上効果、能力活性化効果が低下した場合、レイアウト改変手段によってパネルの設置位置を変更し、又は、新たなパネルを増設し、或いは、それらパネルを取り外し、それによってユニット小部屋のレイアウトを改変することで、新たなレイアウトのユニット小部屋の癒し効果を利用することができ、付加音（自然音又はクラシック音楽）と相まって新たなレイアウトのユニット小部屋に入った各労働者の知的活動を確実に活性化させることができるとともに、各労働者の知的生産性を確実に向上させることができる。
【００６７】
図７は、他の一例として示すユニット小部屋１０Ｃ，１０Ｄの斜視図である。図７では、建造物の図示を省略している。このユニット小部屋１０Ｃ，１０Ｄが図１のそれと異なるところは、２７３０ｍｍ×２７３０ｍｍの四畳半の２つのユニット小部屋１０Ｃ，１０Ｄが組み立てられている点にあり、その他の構成は図１のユニット小部屋１０Ａのそれらと同一であるから、図１と同一の符号を付すとともに、図１の説明を援用することで、このユニット小部屋１０Ｃの詳細な説明は省略する。
【００６８】
知的生産性向上支援システム１０は、所定の建造物の内部に組み立てられた２つのユニット小部屋１０Ｃ，１０Ｄ（所定容積の小空間）と、所定の付加音をそれらユニット小部屋１０Ｃ，１０Ｄに個別に発音させる付加音発音手段とから形成されている。知的生産性向上支援システム１０では、２つのユニット小部屋１０Ｃ，１０Ｄが横方向へひとつながりになった状態で並んでいる。なお、３つ以上のユニット小部屋が横方向へひとつながりになった状態で並んでいてもよい。また、別個独立した２つ以上のユニット小部屋が所定の建造物の内部に組み立てられてもよい。
【００６９】
ユニット小部屋１０Ｃ，１０Ｄでは、前後方向へ並ぶとともに横方向へ並ぶ６枚の天井パネル１２ａ〜１２ｆがユニット小部屋１０Ｃ，１０Ｄの天井１７を形成し、前後方向へ並ぶとともに横方向へ並ぶ６枚の床パネル１３ａ〜１３ｆがユニット小部屋１０Ｃ，１０Ｄの床２６を形成している。横方向へ並ぶ６枚の背面壁パネル１４ａ〜１４ｆがユニット小部屋１０Ｃ，１０Ｄの背面壁３６（側壁）を形成し、前後方向へ並ぶ３枚の側面壁パネル１５ａ〜１５ｃがユニット小部屋１０Ｃの側壁４３を形成しているとともに、前後方向へ並ぶ３枚の側面壁パネル１５ｄ〜１５ｆがユニット小部屋１０Ｄの側壁４４を形成している。前後方向へ並ぶ３枚の仕切パネル６４ａ〜６４ｃ（側壁パネル）が一方のユニット小部屋１０Ｃと他方のユニット小部屋１０Ｄのとの間に設置され、それら仕切パネル６４ａ〜６４ｃによって２つのユニット小部屋１０Ｃとユニット小部屋１０Ｄとに区画されている。
【００７０】
知的生産性向上支援システム１０では、ユニット小部屋１０Ａと同様に、設定された音圧レベルの選択された付加音がユニット小部屋１０Ｃの内部とユニット小部屋１０Ｄの内部とに流される。ユニット小部屋１０Ｃ及びユニット小部屋１１０Ｄにおける知的生産性向上支援システム１０の利用手順は、ユニット小部屋１０Ａにおける知的生産性向上支援システム１０のそれと同一である。
【００７１】
なお、知的生産性向上支援システム１０では、ユニット小部屋１０Ｃ，１０Ｄから天井パネルや床パネル、両側面壁パネルを取り外し、組み立てたユニット小部屋１０Ｃ又はユニット小部屋１０Ｄを解体することで、１つのユニット小部屋１０Ｃ又はユニット小部屋１０Ｄに小部屋数を減少させることができる（小部屋数減少手段）。また、ユニット小部屋１０Ｃ，１０Ｄ（又はユニット小部屋１０Ａ或いはユニット小部屋１０Ｂ）を組み立てた後に、建造物の内部に新たなユニット小部屋を組み立てることで、ユニット小部屋の小部屋数を増加させることができる（小部屋数増加手段）。
【００７２】
知的生産性向上支援システム１０は、必要に応じてユニット小部屋の小部屋数を増加させることで、各ユニット小部屋を使用して複数の労働者の気持ちを同時にリラックスさせることができるとともに、複数の労働者の知的活動を同時に活性化させることができる。知的生産性向上支援システム１０は、複数のユニット小部屋の小部屋数を減少させることで、それらユニット小部屋のうちの不要なユニット小部屋を迅速に撤去することができ、建造物の有効利用を図ることができる。
【００７３】
知的生産性向上支援システム１０は、建造物の内部に複数のユニット小部屋を組み立てることで、それらユニット小部屋の癒し効果を利用することができ、付加音（リフレッシュ効果や集中力向上効果、能力活性化効果の高い各種複数の自然音の中から選択された１種類の自然音又はリフレッシュ効果や集中力向上効果、能力活性化効果の高い各種複数のクラシック音楽の中から選択された１種類のクラシック音楽）と相まってそれらユニット小部屋に入った各労働者の知的活動を確実に活性化させることができるとともに、各労働者の知的生産性を確実に向上させることができる。
【符号の説明】
【００７４】
１０    知的生産性向上支援システム
１１Ａ〜１１Ｄ  ユニット小部屋（小空間）
１２ａ〜１２ｆ  天井パネル
１３ａ〜１３ｆ  床パネル
１４ａ〜１４ｆ  背面壁パネル（各側壁パネル）
１５ａ〜１５ｆ  両側面壁パネル（各側壁パネル）
１６ａ，１６ｂ  引き戸（障子）
１７    天井
１８    前端部
１９    後端部
２０    横架材
２１    横架材
２２    側部
２３    側部
２４    横架材
２５    横架材
２６    床
２７    前端部
２８    後端部
２９    横架材
３０    横架材
３１    側部
３２    側部
３３    横架材
３４    横架材
３５    畳
３６    背面壁（側壁）
３７    上端部
３８    下端部
３９    側部
４０    側部
４１    縦架材
４２    縦架材
４３    側壁
４４    側壁
４５    上端部
４６    下端部
４７    側部
４８    側部
４９    縦架材
５０    上端部
５１    下端部
５２    側部
５３    側部
５４    縦架材
５５    前面開口
５６    上端部
５７    横架材
５８    下端部
５９    開放スペース
６０    スピーカー
６１    マイクロフォン
６２    制御装置
６３    タッチパネル
６４ａ〜６４ｃ  仕切壁（側壁）
【図１】
2020181539.tif 000003
【図２】
2020181539.tif 000004
【図３】
2020181539.tif 000005
【図４】
2020181539.tif 000006
【図５】
2020181539.tif 000007
【図６】
2020181539.tif 000008
【図７】
2020181539.tif 000009